(57)【要約】【課題】  本発明は、上記問題点に鑑みてなされたものであり、ユーザの手近にあるプリンタを用いて容易に印刷を行うことを可能とする印刷システムを提供する。【解決手段】  ＰＣ１０３は、情報読取装置１０５により読み取られたＩＤとＰＣ１０３のＩＰアドレスをサーバ１０１に送信する。また、プリンタ１０２は、情報読取装置１０５により読み取られたＩＤとプリンタ１０２のＩＰアドレスをサーバ１０１に送信する。サーバ１０１は、ＩＤが一致した場合、プリンタ１０２のＩＰアドレスをＰＣ１０３へ送信する。【選択図】  図１
2005202824.tif 000002
【特許請求の範囲】
【請求項１】
印刷処理を行う印刷装置と、該印刷装置とネットワークを介して接続される情報照合サーバと、ユーザにより操作され前記ネットワーク接続および携帯が可能な情報処理装置とを有する印刷システムであって、
前記情報照合サーバは、
情報記録媒体に書き込まれた固有の情報が入力された前記印刷装置を識別するための情報を、前記固有の情報が入力された前記情報処理装置へ送信することを特徴とする印刷システム。
【請求項２】
印刷処理を行う印刷装置と、該印刷装置とネットワークを介して接続される情報照合サーバと、ユーザにより操作され前記ネットワーク接続および携帯が可能な情報処理装置とを有する印刷システムであって、
前記情報処理装置は、
情報記録媒体に記録された固有の情報を入力する第１の情報入力手段と、
前記入力された固有情報と前記情報処理装置を識別するための情報とを前記情報照合サーバへ送信する第１の情報送信手段と、
前記情報照合サーバから、前記印刷装置を識別するための情報を受信すると、印刷データを前記印刷装置へ送信する印刷データ送信手段とを有し、
前記印刷装置は、
前記情報記録媒体に記録された固有の情報を入力する第２の情報入力手段と、
前記第２の情報入力手段により入力された固有情報と前記印刷装置を識別するための情報とを前記情報照合サーバへ送信する第２の情報送信手段とを有し、
前記情報照合サーバは、
前記第１および第２の情報送信手段により送信された固有情報が一致した場合、前記印刷装置の識別情報を前記情報処理装置へ送信する印刷装置情報送信手段と、
を有することを特徴とする印刷システム。
【請求項３】
印刷処理を行う印刷装置と、該印刷装置とネットワークを介して接続される情報照合サーバと、ユーザにより操作され前記ネットワーク接続および携帯が可能な情報処理装置とを有する印刷システムであって、
前記情報処理装置は、
情報記録媒体に記録された固有の情報を入力する第１の情報入力手段と、
前記入力された固有情報と前記情報処理装置を識別するための情報とを前記情報照合サーバへ送信する第１の情報送信手段と、
前記情報照合サーバから、前記印刷装置を識別するための情報を受信すると、印刷データを前記印刷装置へ送信する印刷データ送信手段とを有し、
前記印刷装置は、
前記情報記録媒体に記録された固有の情報を入力する第２の情報入力手段と、
前記第２の情報入力手段により入力された固有情報を前記情報照合サーバへ送信する第２の情報送信手段と、
前記サーバから、前記情報処理装置の識別情報を受信すると、前記印刷装置の識別情報を前記情報処理装置へ送信する印刷識別情報送信手段とを有し、
前記情報照合サーバは、
前記第１および第２の情報送信手段により送信された固有情報が一致した場合、前記情報処理装置の識別情報を前記印刷装置へ送信する情報処理装置情報送信手段と、
を有することを特徴とする印刷システム。
【請求項４】
前記情報処理装置は、
前記固有の情報を格納する固有情報格納手段を有することを特徴とする請求項１から３のいずれか１項に記載の印刷システム。
【請求項５】
前記第１および第２の情報入力手段は、
前記情報記憶媒体に記録されたユーザ固有の情報を入力することを特徴とする請求項１から４のいずれか１項に記載の印刷システム。
【発明の詳細な説明】
【技術分野】
【０００１】
本発明は、印刷システムに関し、特に、携帯可能な情報処理装置をネットワークを介して印刷装置に接続して印刷を行う印刷システムに関する。
【背景技術】
【０００２】
コンピュータおよびネットワークの普及に伴い、各種ドキュメントがデジタルデータとして配布されることが多くなってきた。しかしながら、会議での配布資料など、閲覧手段として紙にプリントアウトすることは、依然として多くの人が行う行為である。プリンタもネットワークに対応し、無線ＬＡＮを通じてＮｏｔｅ  ＰＣなどからプリントアウトすることが一般的になってきている。
【０００３】
上記のような従来技術の１つに特許文献１が開示するところのネットワークプリンタシステムがあった。
特許文献１では、コンピュータからプリンタ情報管理装置に対して、プリンタ情報の一覧取得を要求する。このプリンタ情報には、プリンタ名、ＩＰアドレス、プリンタドライバの場所が含まれている。取得したプリンタ情報の一覧より、プリンタ名のリストがユーザに提示され、ユーザはその中からインストールの対象となるプリンタがあるか否かを判断する。その結果、存在する場合、プリンタを選択する。インストールの際、取得したＩＰアドレス及びプリンタドライバの場所の情報が使用される。
【０００４】
また、特許文献２が開示するところのネットワークを介した画像、音声の出力システムでは、ネットワークにクライアント、プリントポータル等のサーバ、プリンタが接続されたシステムを構築する。クライアントは、印刷すべきコンテンツ、を特定した印刷要求を通信Ｃ１でプリントポータルに発信する。印刷要求は、クライアントのアドレス情報ＩＰＭＰによって特定可能な状態で、プリントポータルに保持される。一方、プリントポータルは、プリンタ７０とクライアントＭＰとの間で、微弱電波等を用いて直接通信Ｃ２を行わせ、クライアントのアドレス情報およびプリンタの識別情報を取得する。更に、２系統から得られたアドレス情報を照合することにより、この識別情報で特定されるプリンタを出力先として特定する。こうすることにより、クライアント側での煩雑な操作なく、出力先を容易に指定することができる。
【０００５】
また、特許文献３が開示するところの通信システムおよびその方法では、プリンタ装置の通知手段は、挿入されたＰＣカードにアドレス、ドライバおよび公開鍵を書き込む。ＰＣの認証要求手段は、ＰＣカードから、プリンタ装置のアドレス、ドライバおよび公開鍵を読み出す。認証要求手段は、ドライバをＰＣにインストールし、アドレスを用いて、ネットワークを介してプリンタ装置にアクセスし、ＰＣのアドレスをプリンタ装置に対して通知するとともに、公開鍵による認証を要求する。プリンタ装置の認証手段は、ＰＣからの認証要求に含まれる公開鍵を用いて、認証要求が正当か否かを判断し、認証を与える。
【特許文献１】特開２０００−３３０７４２号公報
【特許文献２】特開２００３−３６１５１号公報
【特許文献３】特開２００３−１０１５４０号公報
【発明の開示】
【発明が解決しようとする課題】
【０００６】
ここで、ユーザは、プリンタ１０２が存在するオフィスに常駐しているわけではなく、他の事業所から来て、会議に参加している場合における印刷処理について説明する。
会議の流れから、ユーザが自分で持参したＰＣの中にあるデータを印刷して、会議の参加者に配布する必要が生じたとする。ところが、ＰＣには、プリンタのドライバをインストールしていないため、プリントアウトは出来ない。
仮に、プリンタが、ユーザが普段利用しているプリンタと同じ種類のプリンタであり、ドライバ自体のインストールが必要ない場合においても、プリンタのＩＰアドレスが判らないためプリンタの設定が出来ず、印刷することは出来ない。そのため、システム管理者などにプリンタのＩＰアドレスを問い合わせてプリンタの設定を行うか、そのオフィスに常駐する他のメンバーにデータを渡して印刷してもらう必要がある。
【０００７】
また、Ｎｏｔｅ  ＰＣなどの小型・軽量化にともない、ユーザが自分のＮｏｔｅ  ＰＣを他の場所に携帯し、無線ＬＡＮなどを通じてネットワークに接続し、仕事を行うことも増えてきている。しかしながら、コンピュータからのプリントアウトには、通常、プリンタドライバなどの設定を行う必要があり、その設定にはプリンタのＩＰアドレスなど、さまざまな情報を必要とするため、容易ではない。そのため、同じ会社の事業所に行く場合などにおいても、わざわざ会議の人数分の印刷物を用意し持っていく必要があった。また、外出先で、急に印刷して人に渡したいデータなどがある場合には、携帯型メモリなどを利用して外出先の人にデータを渡し、プリントアウトしてもらう必要があった。
【０００８】
また、特許文献１では、プリンタ情報管理装置を通して、プリンタの各種情報を取得する方法を提供していた。しかしながら、大量にあるプリンタの中から、目の前のプリンタを見つけることは容易ではない。また、同じ種類のプリンタを普段使っていたとしても、ＩＰアドレスが異なるプリンタである場合には、新しいプリンタ設定を追加する必要があった。
【０００９】
また、特許文献２では、携帯電話などのクライアントから印刷する際に、クライアントとプリンタの間でＢｌｕｅｔｏｏｔｈや赤外線通信により直接通信を行うことで、プリンタの情報を取得し、出力仲介サーバなどを通して印刷処理を行う。しかしながら、この手法はクライアントおよびプリンタに共通の直接通信手段が必要となる。また、直接通信手段の通信可能距離が長ければ、複数のプリンタが候補となり、やはり選択の必要がある。逆に通信可能距離が短い場合には、プリントアウトの際に、Ｎｏｔｅ  ＰＣなどをプリンタの前に持って行く必要がある。出力仲介サーバを介する場合、印刷したいデータに対応するアプリケーションがサーバ側に必要であるだけでなく、細かい印刷条件の指定などが難しくなる。
【００１０】
また、特許文献３では、ＰＣカードをプリンタに装着し、プリンタのアドレスやドライバの情報を書き込んだ上で、Ｎｏｔｅ  ＰＣなどで読み取り、印刷処理を行う。
しかしながら、この方法では、書き込み可能な情報記憶媒体を必要とする。社員証などの可搬型情報記憶媒体では、通常、一般のアプリケーションからの書き込みは出来ないようになっているため、このシステム用の可搬型情報記憶媒体を準備する必要がある。
【００１１】
本発明は、上記問題点に鑑みてなされたものであり、ユーザの手近にあるプリンタを用いて容易に印刷を行うことを可能とする印刷システムを提供することを目的とする。
【課題を解決するための手段】
【００１２】
かかる目的を達成するため、本発明は、印刷処理を行う印刷装置と、印刷装置とネットワークを介して接続される情報照合サーバと、ユーザにより操作されネットワーク接続および携帯が可能な情報処理装置とを有する印刷システムであって、情報照合サーバは、情報記録媒体に書き込まれた固有の情報が入力された印刷装置を識別するための情報を、固有の情報が入力された情報処理装置へ送信することを特徴とする。
【００１３】
また、本発明は、印刷処理を行う印刷装置と、印刷装置とネットワークを介して接続される情報照合サーバと、ユーザにより操作されネットワーク接続および携帯が可能な情報処理装置とを有する印刷システムであって、情報処理装置は、情報記録媒体に記録された固有の情報を入力する第１の情報入力手段と、入力された固有情報と情報処理装置を識別するための情報とを情報照合サーバへ送信する第１の情報送信手段と、情報照合サーバから、印刷装置を識別するための情報を受信すると、印刷データを印刷装置へ送信する印刷データ送信手段とを有し、印刷装置は、情報記録媒体に記録された固有の情報を入力する第２の情報入力手段と、第２の情報入力手段により入力された固有情報と印刷装置を識別するための情報とを情報照合サーバへ送信する第２の情報送信手段とを有し、情報照合サーバは、第１および第２の情報送信手段により送信された固有情報が一致した場合、印刷装置の識別情報を情報処理装置へ送信する印刷装置情報送信手段と、を有することを特徴とする。
【００１４】
また、本発明は、印刷処理を行う印刷装置と、印刷装置とネットワークを介して接続される情報照合サーバと、ユーザにより操作されネットワーク接続および携帯が可能な情報処理装置とを有する印刷システムであって、情報処理装置は、情報記録媒体に記録された固有の情報を入力する第１の情報入力手段と、入力された固有情報と情報処理装置を識別するための情報とを情報照合サーバへ送信する第１の情報送信手段と、情報照合サーバから、印刷装置を識別するための情報を受信すると、印刷データを印刷装置へ送信する印刷データ送信手段とを有し、印刷装置は、情報記録媒体に記録された固有の情報を入力する第２の情報入力手段と、第２の情報入力手段により入力された固有情報を情報照合サーバへ送信する第２の情報送信手段と、サーバから、情報処理装置の識別情報を受信すると、印刷装置の識別情報を情報処理装置へ送信する印刷識別情報送信手段とを有し、情報照合サーバは、第１および第２の情報送信手段により送信された固有情報が一致した場合、情報処理装置の識別情報を印刷装置へ送信する情報処理装置情報送信手段と、を有することを特徴とする。
【００１５】
また、本発明によれば、上記の情報処理装置は、固有の情報を格納する固有情報格納手段を有することを特徴とする。
【００１６】
また、本発明によれば、上記の第１および第２の情報入力手段は、情報記憶媒体に記録されたユーザ固有の情報を入力することを特徴とする。
【００１７】
また、上記の印刷装置は、プリンタ１０２および情報読取装置１０４の機能を有する。また、上記の情報処理装置は、ＰＣ１０３および情報読取装置１０５の機能を有する。また、上記の情報照合サーバは、サーバ１０１の機能を有する。
【発明の効果】
【００１８】
本発明は、ユーザの手近にあるプリンタを用いて容易に印刷を行うことを可能とする。
【発明を実施するための最良の形態】
【００１９】
（第１の実施形態）
図１は、本発明の第１の実施形態における印刷システムの構成の一例を示す図である。
図１に示されているように、印刷システムは、サーバ１０１と、プリンタ１０２と、ＰＣ１０３と、情報読取装置１０４、１０５とを有して構成される。
また、ネットワークを介してサーバ１０１、プリンタ１０２、およびＰＣ１０３が相互接続されている。ここで、「ネットワーク」とは一般的な概念をあらわすものであって、本実施形態では、インターネット、ＬＡＮといった区別、無線、有線といった通信手段の区別、ＴＣＰ／ＩＰ、独自プロトコルといった通信様式の区別などに依存しない。また、図１に示される印刷システムには、プリンタ、ＰＣが１台づつしか含まれていないが、当然、ネットワーク上には複数のプリンタ、ＰＣが接続されていてもよいものとする。
【００２０】
サーバ１０１は、例えばワークステーションなどの情報処理装置である。
また、プリンタ１０２およびＰＣ１０３は、それぞれ一般のプリンタおよびＰＣと同様の機能を有する。なお、ＰＣ１０３は、携帯可能な情報処理装置であって、好適にはノートブック型ＰＣである。
また、プリンタ１０２およびＰＣ１０３は、それぞれ自身を識別するための情報（自身のＩＰアドレス）を格納する。
【００２１】
プリンタ１０２およびＰＣ１０３には、それぞれ情報読取装置１０４、１０５が接続されている。情報読取装置１０４、１０５は、ＩＣカードや非接触ＩＣカードなど、情報を記録した媒体から情報を読み取ることが出来る。
なお、情報読取装置１０４、１０５は、光／磁気記録媒体または半導体などの情報記録媒体から情報を読み取るものであってもよいし、バーコードリーダやスキャナのように光学的に情報を読み取るものであってもよい。また、情報読取装置１０４、１０５には、キー・スイッチが設けられており、キー・スイッチを選択することによりユーザＩＤが入力されるとしてもよい。このユーザＩＤは、固有の情報であって、好適には各ユーザの識別が可能な情報である。
【００２２】
図２は、本発明の第１の実施形態における印刷システムによる印刷処理の概要を示す図である。
図２に示されているように、本実施形態では、まず、情報読取装置１０４により社員証などからユーザＩＤを読み取り、印刷先のプリンタ１０２が指定される。
次に、指定されたプリンタ１０２のＩＰアドレスなどが、プリンタ１０２からサーバ１０１を介してＰＣ１０３へ送信される。
ＰＣ１０３は、受信したＩＰアドレス宛（プリンタ１０２）に印刷データを出力して印刷要求する。
このようにして、本実施形態では、印刷システムは印刷処理を実行する。
【００２３】
図３は、本発明の第１の実施形態における印刷システムにおける印刷処理のシーケンス図である。
以下、図１および図３を用いて、本実施形態における印刷システムによる動作について説明する。
【００２４】
本実施形態において、一例として、ユーザは、プリンタ１０２の設置場所（会社、事業所、店舗など）へ自身が操作するＰＣ１０３および情報読取装置１０５を携帯して訪れたとする。
まず、ユーザは、プリンタ１０２が接続されているネットワークに、ＰＣ１０３を物理的に接続する。
【００２５】
次に、情報読取装置１０５は、ユーザを識別するためのユーザＩＤを社員証（ＩＣカード）などから読み取る（ステップＳ１０１）。情報読取装置１０５は、読み取ったユーザＩＤをＰＣ１０３へ出力する。
【００２６】
ＣＰＵ１０３は、入力したユーザＩＤおよびＣＰＵ１０３のアドレス情報（ＩＰアドレス）を、自身に実装されている通常のアプリケーション（プリンタドライバ）を用いてサーバ１０１へ送信する（ステップＳ１０２）。
サーバ１０１は、ＣＰＵ１０３から受信したユーザＩＤと、ＣＰＵ１０３のＩＰアドレスとを対応付けて自身に格納する。
【００２７】
次に、情報読取装置１０４は、ユーザの社員証などからユーザＩＤを読み取る（ステップＳ１０３）。情報読取装置１０５は、読み取ったユーザＩＤをプリンタ１０２へ出力する。
【００２８】
プリンタ１０２は、入力したユーザＩＤおよびプリンタ１０２の情報（ＩＰアドレスなど）をサーバ１０１へ送信する（ステップＳ１０４）。
サーバ１０１は、プリンタ１０２から受信したユーザＩＤと、プリンタ１０２のＩＰアドレスとを対応付けて自身に格納する。
【００２９】
次に、サーバ１０１は、自身に格納されているＣＰＵ１０３からのユーザＩＤと、プリンタ１０２からのユーザＩＤとを参照し、同一のユーザＩＤに対応付けられているプリンタ１０２の情報と、ＰＣ１０３のアドレス情報とを抽出する（ステップＳ１０５）。
サーバ１０１は、抽出したＰＣ１０３のアドレス宛に同時に抽出したプリンタ１０２の情報を送信する（ステップＳ１０６）。
【００３０】
ＰＣ１０３が、プリンタ１０２の情報をサーバ１０１から受信すると、ＰＣ１０３に実装されているプリンタドライバは、その受信されたプリンタ１０２の情報をＰＣ１０３に設定する。
ＰＣ１０３（プリンタドライバ）は、設定された情報を用いて、自身に格納されている印刷データをプリンタ１０２へ送信する（ステップＳ１０７）。
【００３１】
プリンタ１０２は、ＰＣ１０３から受信した印刷データの印刷処理を実行する（ステップＳ１０８）。
このようにして、ユーザは、近傍に設置されているプリンタ１０２の情報（ＩＰアドレスなど）を意識すること無く、印刷処理を行うことができる。
【００３２】
また、本実施形態における印刷システムを利用する場合、サーバ１０１は、プリンタ１０２を利用するユーザも特定できることから、課金管理などにその情報を利用することも可能である。
この場合、サーバ１０１は、各ユーザＩＤと各ユーザの個人データ（氏名、連絡先、口座番号など）とを互いに対応付けて自身に格納するものとする。
さらに、サーバ１０１は、ＰＣ１０３からのユーザＩＤおよびアドレス情報受信時に、印刷ジョブ内容を示す情報を受信するとした場合、サーバ１０１は、印刷枚数などに応じて、より詳細な課金を実行することができる。
【００３３】
なお、本実施形態では、ＰＣ１０３側でもユーザＩＤの読み取りを行ったが、普段、ユーザ自身が利用するＮｏｔｅ  ＰＣであれば、あらかじめ自分のＩＤを登録しておくことにより、その手順を省略することも出来る。この場合、ユーザは印刷装置（プリンタ１０２）側でのみ、情報記憶媒体を読み取らせれば良いため、より簡単に印刷処理を行うことが可能となる。
【００３４】
上記の説明は、プリンタ１０２およびＰＣ１０３に直接、情報読取装置１０４が接続しているものとしたが、外付けの情報読取装置などを利用して、既存のプリンタまたはＰＣを用いて、本実施形態における印刷システムを構成することも可能である。
また、ＩＣカードのかわりに非接触ＩＣカードや携帯型のメモリなどを利用しても同様の効果が得られる。さらに、プリンタの情報としてＩＰアドレスのみをあげているが、プリンタの型やオプション情報などをやりとりすることも可能である。
【００３５】
また、本実施形態におけるステップＳ１０１からステップＳ１０２までの処理と、ステップＳ１０３からステップＳ１０４までの処理との処理順序は入れ替わってもよい。
【００３６】
以上説明したように、本実施形態における印刷システムは、ユーザが情報記憶媒体（社員証など）を読み取らせることで印刷装置（プリンタ１０２）の指定を行うため、印刷装置のＩＰアドレスなどを意識すること無く、容易に印刷処理を行うことが可能となる。また、コンピュータ（ＰＣ１０３）側で、複数のプリンタ設定を行う必要が無い。
【００３７】
また、本実施形態によれば、サーバ１０１は、どのユーザが印刷処理を行ったか把握することができるため、課金処理やセキュリティ管理などを行うことが可能となる。
【００３８】
（第２の実施形態）
本実施形態においては、ＰＣ１０３がサーバ１０１にプリンタ１０２の情報を問い合わせるかわりに、プリンタ１０２がサーバ１０１にＰＣ１０３の情報を問い合わせ、プリンタ１０２側から、ＰＣ１０３側にプリンタの情報を通知する。
本実施形態における構成および動作は、以下特記しない限り、第１の実施形態と同様であるとして説明を進める。
【００３９】
図４は、本発明の第２の実施形態における印刷システムにおける印刷処理のシーケンス図である。
以下、図１および図４を用いて、本実施形態における印刷システムによる動作について説明する。
【００４０】
本実施形態において、一例として、ユーザは、プリンタ１０２の設置場所（会社、事業所、店舗など）へ、自身が操作するＰＣ１０３および情報読取装置１０５を携帯して訪れたとする。
まず、ユーザは、プリンタ１０２が接続されているネットワークに、ＰＣ１０３を物理的に接続する。
【００４１】
次に、情報読取装置１０５は、ユーザを識別するためのユーザＩＤを社員証（ＩＣカード）などから読み取る（ステップＳ２０１）。情報読取装置１０５は、読み取ったユーザＩＤをＰＣ１０３へ出力する。
【００４２】
ＣＰＵ１０３は、入力したユーザＩＤおよびＣＰＵ１０３の情報（ＩＰアドレスなど）を、自身に実装されている通常のアプリケーション（プリンタドライバ）を用いてサーバ１０１へ送信する（ステップＳ２０２）。
サーバ１０１は、ＣＰＵ１０３から受信したユーザＩＤと、ＣＰＵ１０３の情報とを対応付けて自身に格納する。
【００４３】
次に、情報読取装置１０４は、ユーザの社員証などからユーザＩＤを読み取る（ステップＳ２０３）。情報読取装置１０５は、読み取ったユーザＩＤをプリンタ１０２へ出力する。
【００４４】
プリンタ１０２は、入力したユーザＩＤおよびプリンタ１０２のアドレス情報（ＩＰアドレスなど）をサーバ１０１へ送信する（ステップＳ２０４）。
サーバ１０１は、プリンタ１０２から受信したユーザＩＤと、プリンタ１０２のＩＰアドレスとを対応付けて自身に格納する。
【００４５】
次に、サーバ１０１は、自身に格納されているＣＰＵ１０３からのユーザＩＤと、プリンタ１０２からのユーザＩＤとを参照し、同一のユーザＩＤに対応付けられているＰＣ１０３の情報と、プリンタ１０２のアドレス情報とを抽出する（ステップＳ２０５）。
サーバ１０１は、抽出したプリンタ１０２のアドレス宛に同時に抽出したＰＣ１０３の情報を送信する（ステップＳ２０６）。
【００４６】
プリンタ１０２が、ＰＣ１０３の情報をサーバ１０１から受信すると、ＰＣ１０３宛に、自身のＩＰアドレスを含むプリンタ１０２の情報をＰＣ１０３へ送信する（ステップＳ２０７）。
【００４７】
ＰＣ１０３が、プリンタ１０２の情報をサーバ１０１から受信すると、ＰＣ１０３に実装されているプリンタドライバは、その受信されたプリンタ１０２の情報をＰＣ１０３に設定する。
ＰＣ１０３（プリンタドライバ）は、設定された情報を用いて、自身に格納されている印刷データをプリンタ１０２へ送信する（ステップＳ２０８）。
【００４８】
プリンタ１０２は、ＰＣ１０３から受信した印刷データの印刷処理を実行する（ステップＳ２０９）。
【００４９】
また、本実施形態におけるステップＳ２０１からステップＳ２０２までの処理と、ステップＳ２０３からステップＳ２０４までの処理との処理順序は入れ替わってもよい。
【００５０】
以上説明したように、本実施形態における印刷システムは、ユーザが情報記憶媒体（社員証など）を読み取らせることで印刷装置（プリンタ１０２）の指定を行うため、印刷装置のＩＰアドレスなどを意識すること無く、容易に印刷処理を行うことが可能となる。また、コンピュータ（ＰＣ１０３）側で、複数のプリンタ設定を行う必要が無い。
【００５１】
（第３の実施形態）
本実施形態における構成および動作は、以下特記しない限り、第１の実施形態と同様であるとして説明を進める。
【００５２】
本実施形態においては、サーバ１０１を介するかわりに、プリンタ１０２側で記録媒体（社員証など）にプリンタ１０２の情報（ＩＰアドレスなど）を書き込み、それをＰＣ１０３側で読み取ることにより、プリンタ１０２の情報を取得し、印刷処理を行う。
このような手法を取ることにより、プリンタ１０２およびＰＣ１０３がサーバ１０１と接続できないような環境においても、容易に印刷処理を行うことが可能となる。
また、逆に、ＰＣ１０３側でＰＣ１０３のアドレスを記録媒体に書き込み、プリンタ１０２側で読み取り、プリンタ１０２からＰＣ１０３にプリンタ１０２の情報を通知することもできる。
【００５３】
以上説明したように、本実施形態によれば、サーバ１０１を利用する必要がないため、閉じたネットワークなどで利用することも可能となる。また、個人の情報や印刷装置固有の情報がネットワーク上に流れないため、セキュリティ上の問題も少なくなる。
【００５４】
（実施形態のまとめ）
なお、上述した第１乃至第３の実施形態では、ユーザのＰＣ１０３内の印刷データをプリンタ１０２で印刷出力していたが、同様に、音声出力または動画出力に適用してもよい。
【００５５】
以上説明した第１乃至第３の実施形態における処理は、サーバ１０１、プリンタ１０２、またはＰＣ１０３が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００５６】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００５７】
【図１】本発明の第１の実施形態における印刷システムの構成の一例を示す図である。
【図２】本発明の第１の実施形態における印刷システムによる印刷処理の概要を示す図である。
【図３】本発明の第１の実施形態における印刷システムにおける印刷処理のシーケンス図である。
【図４】本発明の第２の実施形態における印刷システムにおける印刷処理のシーケンス図である。
【符号の説明】
【００５８】
１０１    サーバ
１０２    プリンタ
１０３    ＰＣ
１０４、１０５    情報読取装置
【図１】
2005202824.tif 000003
【図２】
2005202824.tif 000004
【図３】
2005202824.tif 000005
【図４】
2005202824.tif 000006